(57)【要約】      （修正有）【課題】簡易な手段により頭部を当接させることができる延長体を備えたライフジャケットを提供する。【解決手段】ライフジャケットＬは、首を通す首穴部１ａを有した接続部１０’を介して前身ごろ１１と後身ごろ１２とが連結されると共に、浮力材を内在した本体と、後身ごろ１２に接続され、後身ごろ１２と略同じ幅であって、後身ごろ１２の延長方向に延在すると共に、浮力材２０Ｆを内在した延長体２０とを備えているものである。【選択図】図１
0003180593.tif 000002
【実用新案登録請求の範囲】
【請求項１】
首を通す首穴部を有した接続部を介して前身ごろと後身ごろとが連結されると共に、浮力材を内在した本体と、
前記後身ごろに接続され、前記後身ごろと略同じ幅であって、前記後身ごろの延長方向に延在すると共に、浮力材を内在した延長体とを備えている
ことを特徴とするライフジャケット。
【請求項２】
本体の左右の横腹部が分離し、前身ごろの底部と後身ごろの底部が分離し、前記本体の底部が頭、左右の手の挿脱口を形成し、
前記前身ごろは、幅Ｗ、丈Ｈであり、延長体は、幅ｗ（Ｗ≦ｗ）、丈ｈ（Ｈ≧ｈ）であり、前記延長体は、前記前身ごろ及び前記後身ごろの側に折り曲げ自在であり、
前記延長体が前記前身ごろの側に折り曲げ時の前記前身ごろに対向する前記延長体の対向面は、第１の面であり、前記第１の面と反対側の前記延長体の面は、第２の面であり、
前記第２の面に小物を収納する収納部が形成され、
前記収納部の開口部が前記延長体の先端部と反対側の前記延長体の前記後身ごろとの接続部の側に開口している
ことを特徴とする請求項２記載のライフジャケット。
【請求項３】
紐と、
前身ごろの底縁部に沿って設けられた前記紐を通す前身ごろ通路と、
後身ごろの底縁部に沿って設けられた前記紐を通す後身ごろ通路とを設け、
前記紐は、順次、前記後身ごろ通路、前記前身ごろ通路、前記後身ごろ通路を通り、    前記後身ごろ通路の一端から前記紐の一端が、前記後身ごろ通路の他端から前記紐の他端が、それぞれ位置し、
第２の面に前記紐を通す紐通し部が設けられ、前記紐通し部の一方の口から前記紐の一端が、前記紐通し部の他方の口から前記紐の他端が、それぞれ通されている
ことを特徴とする請求項２記載のライフジャケット。
【請求項４】
紐と、
前身ごろの底縁部に沿って設けられた前記紐を通す前身ごろ通路と、
後身ごろの底縁部に沿って設けられた前記紐を通す後身ごろ通路とを設け、
前記紐は、順次、前記前身ごろ通路、前記後身ごろ通路、前記前身ごろ通路を通り、    前記前身ごろ通路の一端から前記紐の一端が、前記前身ごろ通路の他端から前記紐の他端が、それぞれ位置し、
第２の面に前記紐を通す紐通し部が設けられ、前記紐通し部の一方の口から前記紐の一端が、前記紐通し部の他方の口から前記紐の他端が、それぞれ通されている
ことを特徴とする請求項２記載のライフジャケット。
【請求項５】
本体の底部から椅子の背もたれに挿入されて、前記本体が前記椅子に支持されている    ことを特徴とする請求項１又は２に記載のライフジャケット。
【考案の詳細な説明】
【技術分野】
【０００１】
本考案は、ライフジャケットに係り、特に、簡易な手段により頭部を当接させることができる延長体を備えたライフジャケットに関する。
【背景技術】
【０００２】
従来、ライフジャケットとして、首を通す首穴部を有した接続部を介して前身ごろと後身ごろとが連結されると共に、浮力材を内在した本体と、正面視、前身ごろの左上部裏面と後身ごろの左上部裏面に取り付けられ、右腕を通す左調整紐と、この左調整紐の絞りを固定する左ストッパーと、正面視、前身ごろ１１の右上部裏面と後身ごろの右上部裏面に取り付けられ、左腕を通す右調整紐と、この右調整紐の絞りを固定する右ストッパーとを備え、本体の左右の横腹部が分離し、前身ごろの底部と後身ごろの底部が分離し、本体の底部が頭、左右の手の挿脱口を形成しているものがある（例えば、特許文献参照）。
【先行技術文献】
【特許文献】
【０００３】
実用新案登録第３１７３７０５号公報
【考案の概要】
【考案が解決しようとする課題】
【０００４】
しかしながら、上記ライフジャケットにあっては、頭部を当接させることができる部位がないため、長時間浮遊する場合、体力を消耗するという問題点があった。
【０００５】
本考案は、上記の問題点を除去するようにしたライフジャケットを提供することを目的とする。
【課題を解決するための手段】
【０００６】
請求項１記載のライフジャケットは、首を通す首穴部を有した接続部を介して前身ごろと後身ごろとが連結されると共に、浮力材を内在した本体と、前記後身ごろに接続され、前記後身ごろと略同じ幅であって、前記後身ごろの延長方向に延在すると共に、浮力材を内在した延長体とを備えているものである。
【０００７】
また、請求項２記載のライフジャケットは、請求項１記載のライフジャケットにおいて、本体の左右の横腹部が分離し、前身ごろの底部と後身ごろの底部が分離し、前記本体の底部が頭、左右の手の挿脱口を形成し、前記前身ごろは、幅Ｗ、丈Ｈであり、延長体は、幅ｗ（Ｗ≦ｗ）、丈ｈ（Ｈ≧ｈ）であり、前記延長体は、前記前身ごろ及び前記後身ごろの側に折り曲げ自在であり、前記延長体が前記前身ごろの側に折り曲げ時の前記前身ごろに対向する前記延長体の対向面は、第１の面であり、前記第１の面と反対側の前記延長体の面は、第２の面であり、前記第２の面に小物を収納する収納部が形成され、前記収納部の開口部が前記延長体の先端部と反対側の前記延長体の前記後身ごろとの接続部の側に開口しているものである。
【０００８】
また、請求項３記載のライフジャケットは、請求項２記載のライフジャケットにおいて、紐と、前身ごろの底縁部に沿って設けられた前記紐を通す前身ごろ通路と、後身ごろの底縁部に沿って設けられた前記紐を通す後身ごろ通路とを設け、前記紐は、順次、前記後身ごろ通路、前記前身ごろ通路、前記後身ごろ通路を通り、前記後身ごろ通路の一端から前記紐の一端が、前記後身ごろ通路の他端から前記紐の他端が、それぞれ位置し、第２の面に前記紐を通す紐通し部が設けられ、前記紐通し部の一方の口から前記紐の一端が、前記紐通し部の他方の口から前記紐の他端が、それぞれ通されているものである。
【０００９】
また、請求項４記載のライフジャケットは、請求項２記載のライフジャケットにおいて、紐と、前身ごろの底縁部に沿って設けられた前記紐を通す前身ごろ通路と、後身ごろの底縁部に沿って設けられた前記紐を通す後身ごろ通路とを設け、前記紐は、順次、前記前身ごろ通路、前記後身ごろ通路、前記前身ごろ通路を通り、前記前身ごろ通路の一端から前記紐の一端が、前記前身ごろ通路の他端から前記紐の他端が、それぞれ位置し、第２の面に前記紐を通す紐通し部が設けられ、前記紐通し部の一方の口から前記紐の一端が、前記紐通し部の他方の口から前記紐の他端が、それぞれ通されているものである。
【００１０】
また、請求項５記載のライフジャケットは、請求項１又は２に記載のライフジャケットにおいて、本体の底部から椅子の背もたれに挿入されて、前記本体が前記椅子に支持されているものである。
【考案の効果】
【００１１】
請求項１記載のライフジャケットによれば、後身ごろに接続され、後身ごろと略同じ幅であって、前記後身ごろの延長方向に延在すると共に、浮力材を内在した延長体という簡易な手段により、ライフジャケットの使用時、延長体にも、浮力材が内在しているため、浮力を増大させることができると共に、頭部を延長体に当接させて、体力の温存をも図ることができる。
【００１２】
また、請求項２記載のライフジャケットによれば、上述した請求項１記載の考案の効果に加え、例えば、椅子の背もたれの前面に後身ごろ、椅子の背もたれの背面に前身ごろがそれぞれ位置するように、椅子の背もたれに本体の底部から挿入して、ライフジャケットを椅子に支持するようにして使用すれば、前身ごろの一部又は全部を延長体により覆うため、前身ごろが汚れるのを防ぐと共に、延長体の第２の面に設けた収納部に小物を収納することができる。
【００１３】
また、請求項３記載のライフジャケットによれば、上述した請求項２記載の考案の効果に加え、紐通し部の一方の口から紐の一端が、紐通し部の他方の口から紐の他端が、それぞれ通されているため、紐を結ばなくても、紐を所定位置に保持することができる。
【００１４】
また、請求項４記載のライフジャケットによれば、上述した請求項２記載の発明の効果に加え、紐通し部の一方の口から紐の一端が、紐通し部の他方の口から紐の他端が、それぞれ通されているため、紐を結ばなくても、紐を所定位置に保持することができる。
【図面の簡単な説明】
【００１５】
【図１】図１は、本考案の一実施例のライフジャケットの後身ごろに接続された延長体を広げた状態の概略的正面図である。
【図２】図２は、図１のライフジャケットの延長体を前身ごろの側に折り曲げる前後の概略的右側面図である。
【図３】図３は、図１のライフジャケットの延長体を前身ごろの側に折り曲げた状態の概略的左側面図である。
【図４】図４は、図１のライフジャケットの延長体を前身ごろの側に折り曲げた状態の概略的正面図である。
【図５】図５は、図４のライフジャケットの概略的背面図である。
【図６】図６は、図５のライフジャケットを椅子に装着した状態の概略的図である。
【図７】図７は、図６のライフジャケットの概略的左側面図である。
【図８】図８は、図１のライフジャケットの使用状態の概略的図である。
【考案を実施するための形態】
【００１６】
本考案の一実施例のライフジャケットを図面を参照して説明する。
図１に示すＬはライフジャケットで、ライフジャケットＬは、首を通す首穴部１ａを有した接続部１０’を介して前身ごろ１１と後身ごろ１２とが連結されると共に、浮力材（図示せず）を内在した本体１０を有している。
また、２０は浮力材２０Ｆを内在した延長体で、延長体２０は、図１に示すように、後身ごろ１２に接続され、後身ごろ１２と略同じ幅であって、後身ごろ１２の延長方向に延在するように設けられている。
延長体２０を設けたのは、ライフジャケットＬの使用時、延長体２０にも、浮力材２０Ｆが内在しているため、図８に示すように、浮力を増大させることができると共に、頭部を延長体２０に当接させて、体力の温存を図ることができるようにするためである。
図１に示すファスナーＦを開閉することにより、浮力材２０Ｆは出し入れ自在となって、延長体２０内から濡れた浮力材２０Ｆを取り出し、迅速に乾燥させることができるようになっている。
【００１７】
また、図２に示すように、延長体２０が前身ごろ１１の側に折り曲げ時の前身ごろ１１に対向する延長体２０の対向面は、第１の面２０Ａであり、第１の面２０Ａと反対側の延長体２０の面は、第２の面２０Ｂとなっている。第２の面２０Ｂに小物を収納する収納部２０Ｃが形成されている。
第２の面２０Ｂ、収納部２０Ｃの面は、全体に亘って、防炎素材で形成されるのが望ましい。
これは、火災等で避難する際、ライフジャケットＬの後身ごろ１２を頭部に当てれば、防炎素材で形成された第２の面２０Ｂ、収納部２０Ｃの面が外方に向けられるため、火災等から頭部を保護することができるようにするためである。
【００１８】
なお、本体１の左右の横腹部は、図２及び図３に示すように、分離している。また、前身ごろ１１の底部と後身ごろ２の底部が分離している。そのため、本体１の底部が頭、左右の手の挿脱口１Ｘ（図２及び図３参照）を形成していることとなる。
前身ごろ１１は、図１に示すように、幅Ｗ、丈Ｈであり、延長体２０は、幅ｗ（Ｗ≦ｗ）、丈ｈ（Ｈ≧ｈ）であり、延長体２０は、前身ごろ１１及び後身ごろ１２の側に折り曲げ自在となっている。
そして、図２に示すように、収納部２０Ｃの開口部Ｋが延長体２０の先端部２０Ｄと反対側の延長体２０の後身ごろ１２との接続部Ｓの側に開口するようになっている。
収納部２０Ｃの開口部Ｋは、面状ファスナーＭ１、Ｍ２により係止、非係止されて、開閉するようになっている。
【００１９】
従って、例えば、図６及び図７に示すように、椅子１００の背もたれ１０１の前面に後身ごろ１２、椅子１００の背もたれ１０１の背面に前身ごろ１１がそれぞれ位置するように、椅子１００の背もたれ１０１に本体１０の底部から挿入して、ライフジャケットＬを椅子１００に支持するようにして使用すれば、前身ごろ１１の一部又は全部を延長体２０により覆うため、前身ごろ１１が汚れるのを防ぐと共に、延長体２０の第２の面２０Ｂに設けた収納部２０Ｃに小物（例えば、笛）５０、小物［例えば、マグライト（Maglite)(登録商標）］５１を収納することができる。
なお、災害時、椅子１００からライフジャケットＬを外して、ライフジャケットＬを迅速且つ容易に装着することができる。
また、ライフジャケットＬを身につける対象は、児童に限らず、大人でも良く、椅子１００は、例えば、学校、家、会社、車等で使用される椅子である。
また、ライフジャケットＬの裏面側にアルミ箔シート等の断熱材を取り付けて、保温効果を高めるようにしても良い。
【００２０】
また、図１に示す２は正面視、左に位置する左調整紐で、左調整紐２は、正面視、前身ごろ１１の左上部裏面と後身ごろ１２の左上部裏面に取り付けられ、右腕を通すものである。この左調整紐２の絞りは左ストッパー３で固定される。左調整紐２は、図３に示すように、例えば、１本の紐を前身ごろ１１の左上部裏面に設けた通路１１Ａと後身ごろ１２の左上部裏面に設けた通路１２Ａにそれぞれ通して、紐の自由端に近い部位に左ストッパー３を取り付けている。
【００２１】
また、図１に示す２’は正面視、右に位置する右調整紐で、右調整紐２’は、左調整紐２と同様に、正面視、前身ごろ１１の右上部裏面と後身ごろ１２の右上部裏面に取り付けられ、左腕を通すものである。この右調整紐２’の絞りは右ストッパー３’で固定される。右調整紐２’は、図２に示すように、例えば、１本の紐を前身ごろ１１の右上部裏面に設けた通路１１’Ａと後身ごろ１２の右上部裏面に設けた通路１２’Ａにそれぞれ通して、紐の自由端に近い部位に右ストッパー３’を取り付けている。
【００２２】
従って、上述したライフジャケットＬによれば、首を通す首穴部１ａを有した接続部１０を介して前身ごろ１１と後身ごろ１２が連結される本体１０を備え、前身ごろ１１の底部と後身ごろ１２の底部が分離し、本体１の左右の横腹部が分離し、本体１の底部が頭、左右の手の挿脱口１Ｘを形成しているため、本体１０の底部の挿脱口１Ｘ（図２及び図３参照）から頭、左右の手を入れて、頭を首穴部１ａに、左腕を右調整紐２’に、右腕を左調整紐２に、それぞれ通し、左ストッパー３により左調整紐２の絞りを、右ストッパー３’により右調整紐２’の絞りを、それぞれ固定するだけで、ライフジャケットＬを簡易且つ迅速に装着することができ、また、左調整紐２の絞り及び右調整紐２’の絞りにより装着したライフジャケットＬが脱げにくく、しかも、本体１の左右の横腹部が分離しているため、装着される人の肥満度、大きさに柔軟に対応してライフジャケットＬを装着することができる。
【００２３】
また、図４に示す５は正面視、左に位置する左側調節ベルトで、左側調節ベルト５は、左部ベルト５Ａ、左部ベルト長さを調節する左部ベルト調節部５Ｂを有し、左部ベルト５Ａは、一端を後身ごろ１２に取り付けられ、他端を自由端５Ａ１としたものである。
また、左部ベルト調節部５Ｂの先端には、連結差し込み部が設けられている。
【００２４】
また、図５に示す５’は正面視、右に位置する右側調節ベルトで、右側調節ベルト５’は、右部ベルト５’Ａ、右部ベルト長さを調節する右部ベルト調節部５’Ｂを有し、右部ベルト５’Ａは、一端を後身ごろ１２に取り付けられ、他端を自由端５’Ａ１としたものである。
また、右部ベルト調節部５’Ｂの先端には、左部ベルト調節部５Ｂの先端に設けられた連結差し込み部に連結する連結受け部が設けられている。
なお、本実施例の左部ベルト５Ａと右部ベルト５’Ａは、一本のベルトで構成されているが、図示しないが、各々１本づつ個別に設けるようにしても良い。
【００２５】
また、図１乃至図８に示す７は紐で、７Ａは前身ごろ１１の底縁部に沿って設けられた紐７を通す前身ごろ通路で、７Ｂは後身ごろ１２の底縁部に沿って設けられた紐７を通す後身ごろ通路である。
また、図７に示す８は、延長体２０の第２の面２０Ｂに設けられた紐７を通す紐通し部である。
紐７は、図２及び図３に示すように、順次、後身ごろ通路７Ｂ、前身ごろ通路７Ａ、後身ごろ通路７Ｂを通り、後身ごろ通路７Ｂの一端から紐７の一端が、後身ごろ通路７Ｂの他端から紐７の他端が、それぞれ位置している。
そして、図７に示すように、紐通し部８の一方の口８Ａから紐７の一端が、紐通し部８の他方の口８Ｂから紐７の他端が、それぞれ通されるようになっていて、それぞれ通した後は、図示しないが、紐７が紐通し部８で係止されている。
その結果、紐７を結ばなくても、紐７を所定位置に保持することができ、特に、小学生のような子供には好適である。なお、紐７は、ライフジャケットＬの装着時、ライフジャケットＬが体から離脱しないように、縛るものである。
【００２６】
なお、上述した実施例においては、紐７は、図２及び図３に示すように、順次、後身ごろ通路７Ｂ、前身ごろ通路７Ａ、後身ごろ通路７Ｂを通り、後身ごろ通路７Ｂの一端から紐７の一端が、後身ごろ通路７Ｂの他端から紐７の他端が、それぞれ位置するようにしたが、
本願考案にあっては、これに限らず、図示しないが、紐７は、順次、前身ごろ通路７Ａ、後身ごろ通路７Ｂ、前身ごろ通路７Ａを通り、前身ごろ通路７Ａの一端から紐７の一端が、前身ごろ通路７Ａの他端から前記紐の他端が、それぞれ位置し、
紐通し部８の一方の口８Ａから紐７の一端が、紐通し部８の他方の口８Ｂから紐７の他端が、それぞれ通されるようにして、紐７を紐通し部８で係止するようにしても良い。
【符号の説明】
【００２７】
Ｌ      ライフジャケット
１０    本体
１ａ    首穴部
１０’  接続部
１１    前身ごろ
１２    後身ごろ
２０    延長体
２０Ｆ  浮力材
【図１】
0003180593.tif 000003
【図２】
0003180593.tif 000004
【図３】
0003180593.tif 000005
【図４】
0003180593.tif 000006
【図５】
0003180593.tif 000007
【図６】
0003180593.tif 000008
【図７】
0003180593.tif 000009
【図８】
0003180593.tif 000010
【手続補正書】
【提出日】平成24年10月31日(2012.10.31)
【手続補正１】
【補正対象書類名】実用新案登録請求の範囲
【補正対象項目名】全文
【補正方法】変更
【補正の内容】
【実用新案登録請求の範囲】
【請求項１】
首を通す首穴部を有した接続部を介して前身ごろと後身ごろとが連結されると共に、浮力材を内在した本体と、
前記後身ごろに接続され、前記後身ごろと略同じ幅であって、前記後身ごろの延長方向に延在すると共に、浮力材を内在した延長体とを備えている
ことを特徴とするライフジャケット。
【請求項２】
本体の左右の横腹部が分離し、前身ごろの底部と後身ごろの底部が分離し、前記本体の底部が頭、左右の手の挿脱口を形成し、
前記前身ごろは、幅Ｗ、丈Ｈであり、延長体は、幅ｗ、丈ｈであり、Ｗ≦ｗ、Ｈ≧ｈであり、前記延長体は、前記前身ごろ及び前記後身ごろの側に折り曲げ自在であり、
前記延長体が前記前身ごろの側に折り曲げ時の前記前身ごろに対向する前記延長体の対向面は、第１の面であり、前記第１の面と反対側の前記延長体の面は、第２の面であり、
前記第２の面に小物を収納する収納部が形成され、
前記収納部の開口部が前記延長体の先端部と反対側の前記延長体の前記後身ごろとの接続部の側に開口している
ことを特徴とする請求項１記載のライフジャケット。
【請求項３】
紐と、
前身ごろの底縁部に沿って設けられた前記紐を通す前身ごろ通路と、
後身ごろの底縁部に沿って設けられた前記紐を通す後身ごろ通路とを設け、
前記紐は、順次、前記後身ごろ通路、前記前身ごろ通路、前記後身ごろ通路を通り、    前記後身ごろ通路の一端から前記紐の一端が、前記後身ごろ通路の他端から前記紐の他端が、それぞれ位置し、
第２の面に前記紐を通す紐通し部が設けられ、前記紐通し部の一方の口から前記紐の一端が、前記紐通し部の他方の口から前記紐の他端が、それぞれ通されている
ことを特徴とする請求項２記載のライフジャケット。
【請求項４】
紐と、
前身ごろの底縁部に沿って設けられた前記紐を通す前身ごろ通路と、
後身ごろの底縁部に沿って設けられた前記紐を通す後身ごろ通路とを設け、
前記紐は、順次、前記前身ごろ通路、前記後身ごろ通路、前記前身ごろ通路を通り、    前記前身ごろ通路の一端から前記紐の一端が、前記前身ごろ通路の他端から前記紐の他端が、それぞれ位置し、
第２の面に前記紐を通す紐通し部が設けられ、前記紐通し部の一方の口から前記紐の一端が、前記紐通し部の他方の口から前記紐の他端が、それぞれ通されている
ことを特徴とする請求項２記載のライフジャケット。
【請求項５】
本体の底部から椅子の背もたれに挿入されて、前記本体が前記椅子に支持されている    ことを特徴とする請求項１又は２に記載のライフジャケット。
【手続補正２】
【補正対象書類名】明細書
【補正対象項目名】０００７
【補正方法】変更
【補正の内容】
【０００７】
また、請求項２記載のライフジャケットは、請求項１記載のライフジャケットにおいて、本体の左右の横腹部が分離し、前身ごろの底部と後身ごろの底部が分離し、前記本体の底部が頭、左右の手の挿脱口を形成し、前記前身ごろは、幅Ｗ、丈Ｈであり、延長体は、幅ｗ、丈ｈであり、Ｗ≦ｗ、Ｈ≧ｈであり、前記延長体は、前記前身ごろ及び前記後身ごろの側に折り曲げ自在であり、前記延長体が前記前身ごろの側に折り曲げ時の前記前身ごろに対向する前記延長体の対向面は、第１の面であり、前記第１の面と反対側の前記延長体の面は、第２の面であり、前記第２の面に小物を収納する収納部が形成され、前記収納部の開口部が前記延長体の先端部と反対側の前記延長体の前記後身ごろとの接続部の側に開口しているものである。